(57)【要約】【課題】光拡散性、視認性及び耐衝撃性に優れ、なおかつ容易にレンズの着脱が可能な音声調査卓における操作部の発光表示装置を提供する。【解決手段】表示パネル３は、二枚の金属板を積層して一体化したものであり、上面側の金属板に大径の開口部が形成され、下面側の金属板に小径の開口部が形成されている。この下面側の小径の開口部の縁と、導光部材であるレンズ４に設けられたフランジ部４ａとが係合し、安定した表示パネル３とレンズ４の装着を可能とする。また、レンズ４の外周には突起部が形成されており、遮光部材であるレンズホルダ５の内面に形成された段部と係合する構造を有する。【選択図】図１
2008058426.tif 000002
【特許請求の範囲】
【請求項１】
発光素子を設置した基板と、前記発光素子からの光が通過する表示部を有する表示パネルとを備え、前記発光素子と表示パネルとの間には、一端が発光素子に対向し他端が表示部に対向した導光部材が配置され、この導光部材の外周側面には遮光部材が被覆されてなる発光表示装置において、
前記導光部材の表示部側の端部には、外周に突出したフランジ部が形成され、このフランジ部が前記表示パネルの開口部の縁に対して表示パネルの表面側から係合すると共に、
前記導光部材と遮光部材とには、遮光部材を導光部材にはめ込んだ場合に、両者を係止する嵌合構造が形成されていることを特徴とする発光表示装置。
【請求項２】
表示パネルの上面に、表示パネルに係合した前記導光部材の表面を被覆するシート状部材が設けられ、このシート状部材における導光部材に対向する部分には透明部が形成されると共に、透明部の周囲には不透明部が形成されていることを特徴とする請求項１に記載の発光表示装置。
【請求項３】
前記表示パネルが、二枚の金属板を積層して一体化したものであり、上面側の金属板に形成された大径の開口部内に導光部材のフランジ部が入り込み、下面側の金属板に形成された小径の開口部内に導光部材の本体部分が挿入されることで、前記フランジ部と下面側の開口部との縁が係合していることを特徴とする請求項１または請求項２に記載の発光表示装置。
【請求項４】
導光部材外周側面と遮光部材内周側面のいずれか一方に突起部が、他方にこれと係合する段部が形成され、両者の嵌合時にこの突起部と段部とが係合することを特徴とする請求項１〜請求項３のいずれか１項に記載の発光表示装置。
【請求項５】
導光部材と遮光部材との嵌合時においてスライドする前記突起部と段部のいずれか一方が、スライド方向に沿った傾斜部となっていることを特徴とする請求項４に記載の発光表示装置。
【請求項６】
前記導光部材が、そのフランジが係合した表示パネルと、導光部材外周側面に係合した遮光部材とで挟持され、表示パネルに固定されていることを特徴とする請求項１〜請求項５のいずれか１項に記載の発光表示装置。
【請求項７】
前記導光部材が、その内部に光の拡散部材を混入した透明樹脂から構成されていることを特徴とする請求項１〜請求項６のいずれか１項に記載の発光表示装置。
【請求項８】
前記導光部材の発光素子側の端面と表示パネル側の端面の少なくとも一方が、光を乱反射させる素面処理されたものであることを特徴とする請求項１〜請求項７のいずれか１項に記載の発光表示装置。
【発明の詳細な説明】
【技術分野】
【０００１】
本発明は、例えば音声調整卓に設置する各種のスイッチなどの操作部において、発光素子を用いて操作部の機能情報を表示させる発光表示装置に関する。
【背景技術】
【０００２】
放送用の番組制作を行う際には、一般にミキサーと呼ばれる音声調整卓が用いられる。この音声調整卓には、スピーカや、マイクロフォン等の多数の音声入力装置に接続されており、また入力回線の選択、入力レベルの設定及び補正、音色の調整、出力先の選択及び調整などの数十の調整機能に対応する調整パラメータの設定操作を行う各種のスイッチや回転式、スライド式の操作部が設置されている。
【０００３】
このような音声調整卓の操作部には、各操作部の機能を表示するため機能を示した文字情報が記されている。ここで、各操作部の機能表示を明確にするために、機能表示の横に発光素子としてＬＥＤを設置し照光したり、アクリル樹脂などのレンズ表面に機能表示を記し、機能表示を記したレンズ表面とは逆の面に対向してＬＥＤを設置することにより、当該機能表示自体を点灯させることにより表示していた。
【０００４】
この発光素子としてＬＥＤを用いた発光表示装置は、図３に示すように、ある基板に設置したＬＥＤ３１と、このＬＥＤ３１に対向して配されたレンズ３２と、レンズ３２を保持する遮光板３３と、レンズ３２の表示面の周囲を遮蔽するノブ３４とで構成されている。すなわち、これらの構成により、ＬＥＤ３１から発せられた光はレンズ３２の入射面３２ａに入射し、レンズ３２の表示面３２ｂから外部に放たれることになる。
【発明の開示】
【発明が解決しようとする課題】
【０００５】
ところで、上記のレンズを機能表示装置に設置する際に、係止部が設けられていないので安定した取り付けができず、装置稼働中にレンズが上下左右に振動してしまうことが避けられないでいた。これに対し、ノブやレンズを側面から支える遮光板に接着させる方法も考えられるが、レンズの着脱が容易でなく、レンズが破損した場合などに交換することが困難であった。
【０００６】
また、上記のレンズは、生産性に優れるアクリル樹脂やポリカーボネート樹脂から構成されているが、光拡散性の点で満足できるものではなく、像が不鮮明になったり滲んだように見えることが避けられなかった。さらに、発光素子がレンズ表示面にあるわけではないので、操作部の機能表示として色による明確な表現ができない状況にあった。
【０００７】
そこで、本発明は、光拡散性、視認性及び耐衝撃性に優れ、なおかつ容易にレンズの着脱が可能な音声調査卓における操作部の機能発光表示装置を提供することにある。
【課題を解決するための手段】
【０００８】
上記の課題を解決するために、請求項１の発明は、発光素子を設置した基板と、前記発光素子からの光が通過する表示部を有する表示パネルとを備え、前記発光素子と表示パネルとの間には、一端が発光素子に対向し他端が表示部に対向した導光部材が配置され、この導光部材の外周側面には遮光部材が被覆されてなる発光表示装置において、前記導光部材の表示部側の端部には、外周に突出したフランジ部が形成され、このフランジ部が前記表示パネルの開口部の縁に対して表示パネルの表面側から係合すると共に、前記導光部材と遮光部材とには、遮光部材を導光部材にはめ込んだ場合に、両者を係止する嵌合構造が形成されていることを特徴とする。
【０００９】
以上のような態様では、導光部材の表示部側の端部に外周に突出したフランジ部が形成されているため、このフランジ部が表示パネルの開口部の縁と係合し、安定した導光部材と表示パネルとの装着が実現可能となる。すなわち、接着や溶接するわけではないので、導光部材の着脱も容易に行うことができる。また、遮光部材を導光部材にはめ込んだ場合に、両者を係止する嵌合構造が形成されているので、強固で安定した組み付けが可能となり、耐衝撃性の優れた発光表示装置を提供することができる。
【００１０】
請求項２の発明は、請求項１に記載の発光表示装置において、表示パネルの上面に、表示パネルに係合した前記導光部材の表面を被覆するシート状部材が設けられ、このシート状部材における導光部材に対向する部分には透明部が形成されると共に、透明部の周囲には不透明部が形成されていることを特徴とする。
【００１１】
以上のような態様では、表示パネルに係合した導光部材の表面を被覆するシート部材が設けられているので、透明部では発光素子からの発光表示が可能となり、また発光表示しない箇所には不透明部により光を遮断することができる。このため、機能情報として表示する部分をシート部材の透明部として形成し、それ以外を不透明部とすることにより、当該機能情報を明確に照光することが可能となる。
【００１２】
請求項３の発明は、請求項１又は２に記載の発光表示装置において、前記表示パネルが、二枚の金属板を積層して一体化したものであり、上面側の金属板に形成された大径の開口部内に導光部材のフランジ部が入り込み、下面側の金属板に形成された小径の開口部内に導光部材の本体部分が挿入されることで、前記フランジ部と下面側の開口部との縁が係合していることを特徴とする。
【００１３】
以上のような態様では、導光部材のフランジ部と２枚の金属板を積層した表示パネルの下面側の開口部の縁が係合するので、安定した導光部材と表示パネルとの取り付けが可能であり、また小径の開口部の縁がフランジ部を支持しているだけなので、導光部材の着脱も容易である。
【００１４】
請求項４の発明は、請求項１〜３のいずれか１項に記載の発光表示装置において、導光部材外周側面と遮光部材内周側面のいずれか一方に突起部が、他方にこれと係合する段部が形成され、両者の嵌合時にこの突起部と段部とが係合することを特徴とする。
【００１５】
以上のような態様では、導光部材外周側面と遮光部材内周側面のいずれか一方に突起部が形成され、他方にこれと係合する段部が設けられているので、この突起部と段部が係合することにより、導光部材と遮光部材との安定した嵌合が可能となる。また、安定した嵌合により耐衝撃性が優れ、発光素子から発する光が導光部材から漏れることなく、視認性の高い発光表示装置を提供することができる。
【００１６】
請求項５の発明は、請求項４に記載の発光表示装置において、導光部材と遮光部材との嵌合時においてスライドする前記突起部と段部のいずれか一方が、スライド方向に沿った傾斜部となっていることを特徴とする。
【００１７】
以上のような態様では、突起部あるいは段部がスライド方向に沿った傾斜部を有することにより、導光部材と遮光部材の嵌合時に突起部と段部が係合しやすく、簡易な方法で迅速かつ的確に遮光部材を導光部材に嵌め込むことができる。
【００１８】
請求項６の発明は、請求項１〜請求項５のいずれか１項に記載の発光表示装置において、前記導光部材が、そのフランジが係合した表示パネルと、導光部材外周側面に係合した遮光部材とで挟持され、表示パネルに固定されていることを特徴とする。
【００１９】
以上のような態様では、導光部材を表示パネルと遮光部材とで挟持しているため、装置稼働中の導光部材の揺れを防ぐことができ、安定性の高い表示装置を実現することが可能である。また、導光部材は表示部に対向し、外周側面が遮光部材と嵌合しているので、発光素子から発せられる光が外部に漏れることなく導光部材を透過することができる。これにより、視認性の高い発光表示装置を提供することが可能となる。
【００２０】
請求項７の発明は、請求項１〜請求項６のいずれか１項に記載の発光表示装置において、前記導光部材が、その内部に光の拡散部材を混入した透明樹脂から構成されていることを特徴とする。
【００２１】
以上のような態様では、導光部材に光の拡散部材を混入させているので、導光部材中で光が拡散し、表示パネルの表示部において均一な光を照光することが可能となる。そのため、導光部材中の光拡散により視認性が向上し、照光する各色も識別可能な発光表示装置を提供できる。
【００２２】
請求項８の発明は、請求項１〜請求項７のいずれか１項に記載の発光表示装置において、前記導光部材の発光素子側の端面と表示パネル側の端面の少なくとも一方が、光を乱反射させる粗面処理されたものであることを特徴とする。
【００２３】
以上のような態様では、導光部材の発光部材側の端面、あるいは表示パネル側の端面に粗面処理がなされているので、発光素子から発せられる光を乱反射させることにより、表示パネルの表示部からあらゆる方向へ均一に照光することが可能となり、視認性が向上する。
【発明の効果】
【００２４】
以上のような本発明によれば、導光部材の表示部側の端部に設けたフランジ部と、表示パネルを構成する下面側の金属板の縁とが係合することにより、安定した導光部材と表示パネルとの装着が可能となり、耐衝撃性に優れた発光表示装置を提供することができる。また、導光部材外周側面と遮光部材内周側面のいずれか一方に突起部が形成され、他方にこれと係合する段部が設けられているので、この突起部と段部が係合することにより、導光部材と遮光部材との嵌合が安定し、さらには、発光素子から発する光が導光部材から漏れることがないので、視認性を高く保つことが可能となる。
【００２５】
さらに、導光部材中に光拡散媒体を混入させることにより、この材料の特性を利用して光拡散をさせ、発光素子からの光を表示プレートの表示部に均一に照光することができるので、色による明確な機能情報の識別が可能となる。
【発明を実施するための最良の形態】
【００２６】
[１．構成]
以下、本発明の実施形態における構成を図１に基づいて具体的に説明する。
全体構成は、発光素子としてＬＥＤ１を使用し、そのＬＥＤ１を設置したプリント基板２と、ＬＥＤ１からの光が通過する表示部を有する表示パネル３と、一端がＬＥＤ１に対向し、他端が表示部に対向する導光部材であるレンズ４と、当該レンズ４の外周部を被覆する遮光部材であるレンズホルダ５とからなる。なお、表示パネル３の上面には、表示パネル３に係合したレンズ４の表面を被覆するシート状部材６が設けられてる。
【００２７】
発光素子として使用するＬＥＤ１は、一定の視野角を持つ指向性の自発光デバイスであり、プリント基板２に設置されている。また、このＬＥＤ１には、ＲＧＢチップタイプが用いられ、赤、緑、青色を組み合わせることによりすべての色彩を表現することができる。なお、このＬＥＤ１から発せられる光は、後述する導光部材であるレンズ４を通過し表示パネル３の表示部において外部に放射される。
【００２８】
表示パネル３は、二枚の金属板を積層して一体化したものであり、上面側の金属板に大径の開口部が形成され、下面側の金属板に小径の開口部が形成されている。この下面側の小径の開口部の縁と、導光部材であるレンズ４に設けられたフランジ部４ａとが係合し、安定した表示パネル３とレンズ４の装着を可能とする。なお、この上面側の金属板に形成された大径の開口部が表示部に対応する。
【００２９】
導光部材であるレンズ４は、一例として、基本材質がビスフェノールＡと塩化カルボニル（もしくはジフェニルカーボネート）から生産されるポリカーボネート樹脂からなる。このポリカーボネート製レンズ４の特徴として、軽量さ、耐衝撃性、耐熱性、不燃性、通電性、透明度の高さといった点が挙げられ、他の合成樹脂よりも優れている。また、このカーボネート樹脂に加えて、表示パネルの表示部に光を拡がらせるために光拡散材として炭酸カルシウム等を混入している。
【００３０】
なお、当該レンズ４は、表示側の端部の外周に突出したフランジ部４ａが形成され、このフランジ部４ａが前記表示パネル３の下面側の金属板の開口部の縁に対して、表示パネル３の表面側から係合する。これにより、安定したレンズ４と表示パネル３の装着が可能となり、またレンズ４が表示パネル３に接着や溶接されているわけでもないので、レンズ４の着脱も容易に行うことができる。
【００３１】
また、レンズ４の外周側面には突起部が形成されており、後に説明する遮光部材であるレンズホルダ５の内面に形成された段部と係合する構造を有する。本実施形態においてこの突起部は、導光部材であるレンズ４のＬＥＤ１側に対向する面側に形成されているが、レンズ４の外周側面であれば特に位置を限定することなく設けることが可能である。
【００３２】
なお、レンズ４のＬＥＤ１側の端面には、光を乱反射させるため粗面処理が施されている。この粗面処理により、ＬＥＤ１から発せられた光が表示部側のレンズ４端面で様々な方向に反射する。従って、レンズ４端面で放射される光を様々な方向から検出することができるので、立体空間においても均一に照光する視認性の高い光を識別することが可能である。
【００３３】
レンズホルダ５は、一例として、ポリアセタール （ポリオキシメチレン）から成形され、レンズ４からの光が漏れないように黒色の遮光部材として、レンズ４の外周を被覆するよう形成されている。そして、レンズ４の外周側面を被覆するレンズホルダ５の内周側面には、レンズ４の外周に形成した突起部を係合する段部が設けられている。この段部の形状は、レンズ４の突起部に対応するものであれば、特に限定するものでない。また、レンズ４とレンズホルダ５の嵌合時において、スライドする突起部に対応して、この段部はスライド方向に沿ったテーパ加工などが施された傾斜面となっている。
【００３４】
なお、このレンズホルダ５の材料であるポリアセタール （通称ＰＯＭ）とは、オキシメチレンが連なってポリマーとなった結晶性の高い熱可塑性樹脂で、物性と成形性が高く、さらには潤滑性、耐磨耗性、耐疲労性、耐クリープ性、耐薬品性等に優れている。
【００３５】
シート状部材６は、レンズ４の材質と同じポリカーボネート製であり、表示パネル３の上面に、表示パネル３に係合したレンズ４の表面を被覆するように設けられている。このシート状部材６には、発光表示すべきレンズ４に対向する部分に対し、透明部がマット印刷処理により形成され、一方で透明部の周囲に発光表示をしない不透明部が遮光印刷処理により形成されている。これにより、発光表示したい箇所のみ光を透過させることが可能であり、表示しない箇所は裏面遮光印刷により、光を遮蔽することができる。
【００３６】
[２．作用]
前記のような構成を有する本実施形態の発光表示装置の作用は次の通りである。
まず、導光部材であるレンズ４を表示パネル３の開口部にはめ込む際には、レンズ４の表示部側の端部に設けたフランジ部４ａが、表示パネルを構成する２枚の金属板のうち、下面側の小口径の開口部が形成された縁に係合する。これにより、安定した態様でレンズ４と表示パネル３との装着が行われる。そして、表示パネル３に係合したレンズ４の表面を被覆するよう表示パネル３の上面に、マット印刷処理がされた発光表示する透明部と遮光印刷処理がされた発光表示しない不透明部が形成されたポリカーボネートのシート状部材６を貼り付ける。
【００３７】
次に、表示パネル３の開口部にはめ込んだレンズ４と遮光部材であるレンズホルダ５とを嵌合するが、安定した組み付けを可能とするため、レンズ４の外周側面に形成した突起部とレンズホルダ５の内周側面に形成した段部とが係合する。なお、レンズ４は、そのフランジ部４ａが係合した表示パネル３と、レンズ４外周側面に係合した遮光部材であるレンズホルダ５とにより挟持され、表示パネル３に固定されている。そして、レンズ４に対向するようにＬＥＤ１を設置したプリント基板２をレンズホルダ５に組み付けることで、発光表示装置が完成する。
【００３８】
この上記のように組み立てられた発光表示装置において、プリント基板２に設置したＬＥＤ１を発光させることで、光が導光部材であるレンズ４内で拡散導光し、表示パネル３の上面に貼り付けたシート部材６の発光表示箇所としてマット印刷処理を施した透明部にから、各色が識別できる態様で均一に照光される。
【００３９】
以上のような、本実施形態によれば、導光部材の表示部側の端部に設けたフランジ部と、表示パネルを構成する下面側の金属板の縁とが係合することにより、安定した導光部材と表示パネルとの装着が可能となり、耐衝撃性に優れた発光表示装置を提供することができる。また、導光部材外周側面と遮光部材内周側面のいずれか一方に突起部が形成され、他方にこれと係合する段部が設けられているので、この突起部と段部が係合することにより、導光部材と遮光部材との嵌合が安定し、さらには、発光素子から発する光が導光部材から漏れることがないので、視認性を高く保つことが可能となる。
【００４０】
さらに、導光部材中に光拡散媒体を混入させることにより、この材料の特性を利用して光拡散をさせ、発光素子からの光を表示プレートの表示部に均一に照光することができるので、色による明確な機能情報の識別が可能となる。
【００４１】
[３．他の実施形態]
本発明は、前記のような実施形態において、表示パネルの構成が、２枚の金属板からなり、上面側の金属板に大径の開口部が形成され、下面側の金属板に小径の開口部が形成されたものに限定するものでなく、１枚の金属板やプラスチック板に大径の開口部と小径の開口部に対応した縁を形成した構成も包含するものである。
【００４２】
また、本実施形態では、プリント基板２上に１つのＬＥＤ１しか設置していないが、レンズ４の断面積の大きさに合わせて複数のＬＥＤ１を設ける構成とすることも可能である。これにより、比較的面積の大きい機能情報を表示する場合であっても、十分な光量で拡散導光させることができるので、均一な発光色により機能情報を明確に表示することが可能となる（図２）。
【００４３】
その他にも、本実施形態では、レンズ４の外周に突起部を形成していたが、この突起部を遮光部材であるレンズホルダ５の内周に形成し、それに係合する段部をレンズ４の外周に形成した構成とすることも可能である。なお、この場合には、レンズ４の段部に、この段部がスライドする方向に沿って、テーパ加工などにより傾斜面が形成された構成を有する。
【図面の簡単な説明】
【００４４】
【図１】本発明の一実施形態を示す側面図。
【図２】本発明の他の実施形態を示す側面図。
【図３】従来技術を示す平面図。
【符号の説明】
【００４５】
１…ＬＥＤ
２…プリント基板
３…表示パネル
３ａ…大径開口部の金属板
３ｂ…小径開口部の金属板
４…レンズ
４ａ…フランジ部
５…レンズホルダ
６…シート部材
３１…ＬＥＤ（従来技術）
３２…レンズ（従来技術）
３２ａ…入射面（従来技術）
３２ｂ…表示面（従来技術）
３３…遮光板（従来技術）
３４…ノブ（従来技術）
【図１】
2008058426.tif 000003
【図２】
2008058426.tif 000004
【図３】
2008058426.tif 000005